(57)【要約】【課題】【解決手段】遠隔局におけるカウンタ内容が、Ｗａｌｓｈカバーを選択する為に使用される。Ｗａｌｓｈカバーは、新たな逆アクノレッジメントチャネル上で送られたアクノレッジメント（ＡＣＫ）又はネガティブアクノレッジメント（ＮＡＣＫ）のビットをカバーする為に使用される。この新たな逆アクノレッジメントチャネルでは、ブロードキャスト送信の為のＡＣＫビット値が、専用送信の為のＡＣＫビットをカバーするＷａｌｓｈコードシーケンスを選択する為に使用される（５５５）。基地局が遠隔局からのＡＣＫメッセージを受信した場合には、基地局は、このメッセージのＷａｌｓｈカバーを確認し、埋め込まれたカウンタ内容を抽出する。もしも受信したＡＣＫ又はＮＡＣＫのカウンタ値が、ローカルなカウンタ値と異なるのであれば、基地局は、同期問題が発生したと判定する。
2005524334.tif 000002
【特許請求の範囲】
【請求項１】
基地局と遠隔局との間でＷａｌｓｈ空間情報を同期化する基地局内装置であって、
Ｗａｌｓｈマスク変化を追跡するローカルカウンタと、
メモリ要素と、
前記ローカルカウンタと前記メモリ要素とに通信可能に接続され、前記メモリ要素に格納された１セットの命令を実行するように構成されたプロセシング要素とを備え、前記１セットの命令は、
前記遠隔局からのアクノレッジメントメッセージを受信し、ここで前記アクノレッジメントメッセージは、遠隔局カウンタのカウンタ値によって選択されるＷａｌｓｈカバーを持っており、
前記アクノレッジメントメッセージのＷａｌｓｈカバーを決定し、
前記決定したＷａｌｓｈカバーからカウンタ内容を抽出し、
前記基地局におけるローカルカウンタを、前記抽出したカウンタ内容でリセットする。
【請求項２】
基地局と遠隔局との間でＷａｌｓｈ空間情報を同期化する方法であって、
前記遠隔局からのアクノレッジメントメッセージを前記基地局で受信することであって、前記アクノレッジメントメッセージは、遠隔局カウンタのカウンタ値によって選択されるＷａｌｓｈカバーを持っていることと、
前記アクノレッジメントメッセージのＷａｌｓｈカバーを決定することと、
前記決定したＷａｌｓｈカバーからカウンタ内容を抽出することと、
前記基地局におけるローカルカウンタを、前記抽出したカウンタ内容でリセットすることとを備える。
【請求項３】
基地局におけるローカルカウンタと、遠隔局におけるカウンタとの間の同期を維持する方法であって、前記ローカルカウンタと前記カウンタとは、Ｗａｌｓｈマスク変化の数をカウントし、前記方法は、
共通の媒体アクセス制御識別子（ＭＡＣ＿ＩＤ）を用いて前記ローカルカウンタの内容をブロードキャストすることと、
少なくとも一つの遠隔局によって媒体アクセス制御識別子（ＭＡＣ＿ＩＤ）を受信することと、
前記媒体アクセス制御識別子（ＭＡＣ＿ＩＤ）から前記ローカルカウンタの内容を抽出することと、
前記少なくとも一つの遠隔局のカウンタを、前記ローカルカウンタの内容でリセットすることとを備える。
【請求項４】
基地局におけるカウンタの内容をリセットするための遠隔局内装置であって、前記カウンタは、Ｗａｌｓｈマスク変化の数を追跡し、前記装置は、
メモリ要素と、
前記メモリに格納された１セットの命令を実行するように構成されたプロセシング要素とを備え、前記１セットの命令は、
前記基地局からの専用送信に応答して第１のアクノレッジメントメッセージを生成し、
ローカルカウンタの内容に従ってＷａｌｓｈコードシーケンスを選択し、
前記第１のアクノレッジメントメッセージをカバーするために前記Ｗａｌｓｈコードシーケンスを使用し、
前記カバーされた第１のアクノレッジメントメッセージを前記基地局に送信する。
【請求項５】
基地局におけるカウンタの内容をリセットするための遠隔局における方法であって、前記カウンタは、Ｗａｌｓｈマスク変化の数を追跡し、前記方法は、
前記基地局からの専用送信に応答して第１のアクノレッジメントメッセージを生成することと、
ローカルカウンタの内容に従ってＷａｌｓｈコードシーケンスを選択することと、
前記第１のアクノレッジメントメッセージをカバーするために前記Ｗａｌｓｈコードシーケンスを使用することと、
前記カバーされた第１のアクノレッジメントメッセージを前記基地局に送信することとを備える。
【請求項６】
組み合わされたアクノレッジメントメッセージを生成する装置であって、前記組み合わされたアクノレッジメントメッセージは、送信をアクノレッジし、受信側におけるカウンタをリセットし、前記装置は、
アクノレッジメントビット値を繰り返してシンボルを形成する繰り返し要素と、
ローカルカウンタ値に基づいてＷａｌｓｈコードシンボルを選択するカバー要素と、
前記繰り返し要素の出力を、前記カバー要素の出力を用いて拡散する乗算機とを備える。
【発明の詳細な説明】
【技術分野】
【０００１】
本発明は、一般に通信に関し、特に、拡散スペクトル通信システムにおいてコードチャネルの識別に使用される直交空間情報の信頼できる伝達を改善することに関する。
【背景技術】
【０００２】
無線通信の分野は、例えば、コードレス電話、ページング、無線ローカルループ、ＰＤＡ、インターネット電話、及び衛星通信システムのような多くのアプリケーションを含んでいる。特に重要なアプリケーションは、移動加入者のための携帯電話システムである。ここで使われるように、「携帯」システムという用語は、携帯及びパーソナル通信サービス（ＰＣＳ）の周波数の両方で動作するシステムを包含している。空気を介した種々のインタフェースが、例えば、周波数分割多元アクセス（ＦＤＭＡ）、時分割多元アクセス（ＴＤＭＡ）、及びコード分割多元アクセス（ＣＤＭＡ）を含む携帯電話システムのために開発されている。これに接続する場合に、例えばAdvanced Mobile Phone Service（ＡＭＰＳ）、Global System for Mobile（ＧＳＭ）、及びInterim Standard 95（ＩＳ−９５）を含む様々な国内及び国際規格が確立されている。ＩＳ−９５とその派生規格であるＩＳ−９５Ａ、ＩＳ−９５Ｂ、ＡＮＳＩ  Ｊ−ＳＴＤ−００８（ここではしばしば集合的にＩＳ−９５と称される）と、提案された高データ速度システムは、Telecommunication Industry Association（ＴＩＡ）及びその他の良く知られた規格によって公表されている。
【０００３】
ＩＳ−９５規格の使用に従って構成された携帯電話システムは、非常に効率的で、頑強な携帯電話サービスを提供するために、ＣＤＭＡ信号処理技術を使用する。ＩＳ−９５規格の使用に従って実質的に構成された典型的な携帯電話システムは、米国特許第５,１０３,４５９号（特許文献１）および米国特許第４,９０１,３０７号（特許文献２）に記載されている。これらは、本願発明の譲受人に譲渡され、本願に引用して援用する。ＣＤＭＡ技術を使用した典型的システムは、ＴＩＡによって発行されたｃｄｍａ２０００  ＩＴＵ−Ｒ  Radio Transmission Technology（ＲＴＴ） Candidate Submission（ここでは、ｃｄｍａ２０００と称される）である。ｃｄｍａ２０００のためのこの規格は、ＩＳ−２０００のドラフト版の中に与えられ、ＴＩＡおよび３ＧＰＰＳによって承認された。別のＣＤＭＡ規格は、Ｗ−ＣＤＭＡ規格である。これは、3rd Generation Partnership Project"３ＧＰＰ"におけるドキュメント、3G TS 25.211（非特許文献１）、3G TS 25.212（非特許文献２）、3G TS 25.213（非特許文献３）、及び3G TS 25.214（非特許文献４）に具体化されている。
【０００４】
上記引用した電気通信規格は、適用可能な種々の通信システムのうちのほんのいつくかの例である。これら様々な通信システムの幾つかは、遠隔局が、送信媒体の品質に関する情報を、サーブしている基地局へ送信できるように構成されている。ここで記載するように、「サーブしている」基地局は、遠隔局と通信している基地局である。そして、チャネル情報は、パワーレベル、送信フォーマット、及び順方向リンク送信のタイミングを最適化し、更に逆方向リンク送信のパワーレベルを制御するために、サーブしている基地局によって使用される。
【０００５】
ここで使用するように、「順方向リンク」とは、基地局から遠隔局へ向かう全ての送信に相当し、「逆方向リンク」とは、遠隔局から基地局へ向かう全ての送信に相当する。順方向リンクと逆方向リンクは、関連性がない。これは、一方の観察によって、他の予測が容易にならないことを意味している。しかしながら、固定された、あるいはゆっくりと移動する遠隔局にとって、順方向リンク送信経路の特性は、統計的意味において逆方向リンク送信経路の特性と類似して観察されよう。
【０００６】
順方向リンクは、遠隔局間で共有されたリソースである。複数の遠隔局への同時送信を保証するために、直交コードを用いたチャネル化を適用することができる。直交コードの数は、制限されたシステムリソースであり、動的な原理に基づいて割当及び、再割当がなされねばならない。使用する直交コードとしてどれを選択するかは、基地局に実装された最適化処理の一部である。
【０００７】
特定の遠隔局のための送信は、専用チャネル上で送信され、遠隔局のグループのための送信は、ブロードキャスト方式で送信される。専用チャネル上での送信は、潜在的なパラメータから大規模に選択されて取得されたパラメータのセットを用いて符号化される。もしも遠隔局が、基地局によって使用された特定のパラメータセットを知らないのであれば、遠隔局は、この送信が正しくデコードされるまで、各パラメータセットを用いてこの送信の復調とデコードとを試みなければならないであろう。これは非効率的な方法である。それゆえ、送信フォーマット情報は、一般には、ブロードキャストチャネル上で送信される。これによって、遠隔局は、送信フォーマット情報を受信できる。遠隔局は、ブロードキャストチャネルをデコードするために、指定された送信フォーマット情報を使うように構成されている。
【０００８】
例えば、もしもデータが遠隔局に送られるのであれば、基地局は、与えられた送信フォーマットに従ってデータをパッケージし、すなわち「パッケージング」し、このパッケージしたデータと、使用されたパッケージングの種類に関する情報との両方を、遠隔局に送る。パッケージの種類に関する知識によって、遠隔局は、このパッケージされたデータを迅速に、かつ効率的に開くことが可能となる。しかしながら、パッケージ情報を送ることは、疑わしいかもしれない。
【０００９】
データスループット率を改善するために、送信フォーマット情報は、遠隔局によって容易に復調され、デコードされるような方式で送信されねばならない。一般に、送信フォーマット情報は、ブロードキャストとして送信される。これによって、遠隔局は、設定遅延無く、この情報を迅速に復調し、デコードすることができる。しかしながら、全てのブロードキャスト送信に対して共通でかつ必然的な弱点がある。それは信頼性と効率性である。ブロードキャスト送信について、基地局は、誰がこのブロードキャストを受信し、誰がこのブロードキャストを失ったかを容易には判定できない。それゆえ、もしもブロードキャストされた送信フォーマット情報が失われた場合には、遠隔局もまた、専用チャネル上の対応する送信を失う。
【特許文献１】米国特許第５，１０３，４５９号
【特許文献２】米国特許第４，９０１，３０７号
【非特許文献１】3rd Generation Partnership Proiect"3GPP"ドキュメント  3G TS 25.211
【非特許文献２】3rd Generation Partnership Proiect"3GPP"ドキュメント 3G TS 25.212
【非特許文献３】3rd Generation Partnership Proiect"3GPP"ドキュメント  3G TS 25.213
【非特許文献４】3rd Generation Partnership Proiect"3GPP"ドキュメント  3G TS 25.214
【発明の開示】
【００１０】
この問題に対処するために方法及び装置がここに表される。
【発明を実施するための最良の形態】
【００１１】
図１に示すように、無線通信ネットワーク１０は一般に、複数の移動局（遠隔局、加入者ユニット、あるいはユーザ機器とも呼ばれる）１２ａ〜１２ｄと、複数の基地局（基地局トランシーバ（ＢＴＳ）またはＮｏｄｅＢとも呼ばれる）１４ａ〜１４ｃと、基地局コントローラ（ＢＳＣ）（無線ネットワークコントローラまたはパケット制御機能とも呼ばれる）１６と、移動交換センタ（ＭＳＣ）またはスイッチ１８と、パケットデータサービングノード（ＰＤＳＮ）又はインターネットワーキング機能（ＩＷＦ）２０と、公衆通信交換網（ＰＳＴＮ）（一般に電話会社）２２と、インターネットプロトコル（ＩＰ）ネットワーク２４（一般にインターネット）とを含む。単純にするために、４つの移動局１２ａ〜１２ｄと、３つの基地局１４ａ〜１４ｃと、１つのＢＳＣ１６と、１つのＭＳＣ１８と、１つのＰＤＳＮ２０とを示している。当該技術分野における熟練者であれば、これより多い、又はこれより少ない移動局１２、基地局１４、ＢＳＣ１６、ＭＳＣ１８、及びＰＤＳＮ２０でありえることが理解されよう。
【００１２】
ある実施例では、無線通信システム１０は、パケットデータサービスネットワークである。この移動局１２ａ〜１２ｄは、例えば移動電話、ＩＰベースのＷｅｂブラウザアプリケーションが動作しているラップトップコンピュータに接続された携帯電話、ハンドフリーカーキットに対応した携帯電話、ＩＰベースのウェブブラウザアプリケーションが動作しているＰＤＡ、移動コンピュータに組み込まれた無線通信モジュール、あるいは無線ローカルループまたはメータ読み出しシステムで見られるような固定式位置決め通信モジュールのような任意の数の異なる種類の無線通信装置でありうる。最も一般的な実施例では、移動局は、あらゆる種類の通信ユニットでありうる。
【００１３】
移動局１２ａ〜１２ｄは、例えば、ＥＩＡ／ＴＩＡ／ＩＳ−７０７規格に記載されたような１つ又は複数の無線パケットデータプロトコルを実行するように構成されている。特定の実施例では、移動局１２ａ〜１２ｄは、ＩＰネットワーク２４に向けられたＩＰパケットを生成し、このＩＰパケットを、ポイントトゥポイントプロトコル（ＰＰＰ）を用いて、フレームにカプセル化する。
【００１４】
ある実施例では、ＩＰネットワーク２４はＰＤＳＮ２０に接続され、ＰＤＳＮ２０はＭＳＣ１８に接続され、ＭＳＣは、ＢＳＣ１６とＰＳＴＮ２２とに接続され、ＢＳＣ１６は、例えばＥ１、Ｔ１、非同期転送モード（ＡＴＭ）、ＩＰ、ＰＰＰ、フレームリレイ、ＨＤＳＬ、ＡＤＳＬ、又はｘＤＳＬを含む良く知られたプロトコルのうちの幾つかに従って音声及び／又はデータパケットを送信するために構成された信号線を経由して基地局１４ａ〜１４ｃに接続される。別の実施例では、ＢＳＣ１６は、ＰＤＳＮ２０に直接的に結合することが可能である。無線通信ネットワーク１０の典型的な動作の間、基地局１４ａ〜１４ｃは、電話呼出、ウェブブラウジング、又は他のデータ通信に従事した種々の移動局１２ａ〜１２ｄからの逆信号のセットを受信し、復調する。与えられた基地局１４ａ〜１４ｃによって受信された各逆信号は、その基地局１４ａ〜１４ｃ内で処理される。各基地局１４ａ〜１４ｃは、順方向信号のセットを変調し、移動局１２ａ〜１２ｄに送信することによって、複数の移動局１２ａ〜１２ｄと通信する。例えば、図１に示すように、基地局１４ａは、第１及び第２の移動局１２ａ，１２ｂと同時に通信し、基地局１４ｃは、第３及び第４の移動局１２ｃ，１２ｄと同時に通信する。
【００１５】
その結果得られるパケットは、ＢＳＣ１６に転送される。ＢＳＣ１６は、特定の移動局のための呼び出しの、ある基地局１４ａ〜１４ｃから別の基地局１４ａ〜１４ｃへのソフトハンドオフの編成を含む移動管理機能と、呼出リソース割り当てとを提供する。例えば、移動局１２ｃは、２つの基地局１４ｂ、１４ｃと同時に通信している。最終的には、移動局１２ｃが基地局のうちの１つ１４ｃから十分遠くに移動した場合には、呼出は、別の基地局１４ｂへとハンドオフされるであろう。
【００１６】
もしもこの送信が従来の電話呼出であれば、ＢＳＣ１６は、受信したデータをＭＳＣ１８にルーティングする。ＭＳＣ１８は、ＰＳＴＮ２２とのインタフェースのための追加のルーティングサービスを提供する。もしもこの送信が、ＩＰネットワーク２４に向けられたデータ呼出のようなパケットベースの送信であれば、ＭＳＣ１８は、このデータパケットを、ＰＤＳＮ２０にルーティングするであろう。そして、ＰＤＳＮ２０は、このパケットをＩＰネットワーク２４に送るであろう。あるいは、ＢＳＣ１６は、このパケットをＰＤＳＮ２０に直接的にルーティングするであろう。そして、ＰＤＳＮ２０は、このパケットをＩＰネットワーク２４に送る。
【００１７】
ある通信システムでは、データトラフィックを伝達しているパケットは、サブパケットに分割される。サブパケットは、送信チャネルのスロットを占有する。説明を簡単にするのみの目的で、ｃｄｍａ２０００システムという名称がここで使用される。その使用は、ｃｄｍａ２０００システムに対する実施例の実施を制限することを意図していない。例えばＷＣＤＭＡのような他のシステムにおける実施は、ここで記述された実施例の範囲の影響を与えることなく達成することが可能である。
【００１８】
基地局から、基地局の範囲内で動作する遠隔局への順方向リンクは、複数のチャネルを備えうる。順方向リンクのチャネルの幾つかは、これらに限定されるものではないが、パイロットチャネル、同期チャネル、ページングチャネル、クイックページングチャネル、ブロードキャストチャネル、パワー制御チャネル、割り当てチャネル、制御チャネル、専用制御チャネル、媒体アクセス制御（ＭＡＣ）チャネル、基本チャネル、補足チャネル、補足コードチャネル、及びパケットデータチャネルを含むことができる。遠隔局から基地局への逆方向リンクもまた複数のチャネルを備えている。個々のチャネルは、異なる種類の情報を、目標宛先に運ぶ。一般に、音声トラフィックは、基本チャネル上で伝達され、データトラフィックは、補足チャネル又はパケットデータチャネル上で伝達される。補足チャネルは、通常、指定された要素のための専用チャネルである。一方、パケットデータチャネルは、通常、時間及び／又はコードの多重化方式で、異なる要素のために割り当てられた信号を運ぶ。あるいは、パケットデータチャネルは、共有補足チャネルとして記載することも可能である。本実施例の記述の目的のために、補足チャネルとパケットデータチャネルとは一般に、データトラフィックチャネルと称される。
【００１９】
音声トラフィックと、データトラフィックとは、一般に順方向リンクまたは逆方向リンクのうちの何れかにおける送信前に符号化され、変調され、拡散される。この符号化、変調、および拡散は、種々のフォーマットで実施することができる。ＣＤＭＡシステムでは、この送信フォーマットは、最終的には、音声トラフィックとデータトラフィックとが送信されているチャネルの種類と、減衰及び干渉に関連させて記載することができるチャネル条件とに依存する。
【００２０】
種々の送信パラメータの組み合わせに対応している予め定めた送信フォーマットを用いることによって、送信フォーマットの選択を簡単にすることができる。ある実施例では、この送信フォーマットは、以下に示すような送信パラメータ、すなわち、このシステムで使用されている変調スキーム、直交又は擬似直交コードの数、直交又は擬似直交コードの識別子、ビット単位でのデータペイロードサイズ、メッセージフレームの期間、及び／又は符号化スキームに関する詳細の何れか、あるいは全ての組み合わせに対応している。通信システム内で使用される変調スキームの幾つかの例は、直交位相偏移キーイングスキーム（ＱＰＳＫ：Quadrature Phase Shift Keying scheme）、８−ａｒｙ位相偏移キーイングスキーム（８−ＰＳＫ：8-ary Phase Shift Keying scheme）、および１６−ａｒｙ直交振幅変調（１６−ＱＡＭ：16-ary Quadrature Amplitude Modulation）である。選択的に実施可能な種々の符号化スキームのうちのいくつかには、種々の速度で実施可能な従来式の符号化スキームや、複数の符号化ステップからなるターボ符号化がある。Ｗａｌｓｈコードシーケンスのような直交コード及び擬似直交コードは、各遠隔局に送られた情報をチャネル化するために用いられる。言い換えれば、Ｗａｌｓｈコードシーケンスは順方向リンク上で使用され、システムは、同一の時間期間中に同一周波数において、１つ又はそれぞれが異なる直交あるいは擬似直交のコードが割り当てられた複数のユーザを上書きすることが可能となる。例えば、Ｗａｌｓｈコードシーケンスは、以下のように再帰的に定義することができるＷａｌｓｈ関数によって生成される。  
【数１】
2005524334.tif 000003
【００２１】
ここで、Ｗ’は、Ｗの論理補数であり、Ｗ（１）＝０である。従って、  
【数２】
2005524334.tif 000004
【００２２】
及び  
【数３】
2005524334.tif 000005
【００２３】
となり、Ｗ（８）は、以下の通りとなる。  
【数４】
2005524334.tif 000006
【００２４】
Ｗａｌｓｈシーケンスは、Ｗａｌｓｈ関数行列の列のうちの１つである。ｎ次のＷａｌｓｈ関数はｎ個のシーケンスを含んでいる。それぞれの長さはｎビットである。データ送信は、１つ又は幾つかのこのような拡散コードによってカバーされる。これによって、同じ時間に同じ周波数で起こる異なる送信間のＣＤＭＡ分離が可能となる。この文脈において、「コード空間」あるいは「Ｗａｌｓｈ空間」は、データを送信するために使用される拡散コードシーケンスのセットを称する用語である。
【００２５】
オリジナルとして送信されたデータトラフィックチャネルのデータビットを回復するために、デコーダが、このデータをカバーするために幾つの拡散コードが、及びどの拡散コードが使用されているかを判定できなくてはならない。チャネルは、幾つかの可能な拡散コードと、種々のオプショナルな符号化及び変調フォーマットとを使用することができるので、デコーダは、受信端において、送信端において使用された実際の送信パラメータについて通知されることが望ましい。この送信パラメータは、時々送信したり、あるいはデータトラフィック送信が起こる毎に送信したりするように実施することが可能な１つ又は幾つかの別個の制御チャネルを介して伝達することができる。この送信パラメータの受信によって、デコーダは、データトラフィックチャネルのデコードと復調とを迅速に開始することが可能となる。
【００２６】
ｃｄｍａ２０００システムでは、１つのデータトラフィックチャネルの種類として、順方向パケットデータチャネル（Ｆ−ＰＤＣＨ：Forward Packet Data Channel）がある。Ｆ−ＰＤＣＨは、指定された時間期間に対して唯一の遠隔局に割り当てられる。基地局によってなされるＦ−ＰＤＣＨの生成は、変動するリソース量を消費する。例えば、基地局のサービング領域で発する新たな音声呼出は、他の遠隔局に利用可能なＷａｌｓｈコードの数を減少させる一方、音声呼出のリリースは、利用可能なＷａｌｓｈコードの数を増加させる。
【００２７】
当該技術分野で知られているように、レイヤ化とは、通信プロトコルを、他のデカップルされたプロセシングテンティティ、すなわちレイヤ間において、良く定義されたカプセル化データユニットとして確立するための方法である。図２は、基地局２５０及び遠隔局２６０の両方に適用された３つのプロトコルレイヤＬ１  ２２０，Ｌ２  ２１０，Ｌ３  ２００を示している。レイヤＬ１  ２２０は、基地局と遠隔局との間の無線信号の送受信のためであり、レイヤＬ２  ２１０は、信号化メッセージの正しい送受信のためであり、レイヤＬ３  ２００は、この通信システムの制御メッセージのためにある。レイヤＬ３  ２００は、基地局２５０と遠隔局２６０との間の通信プロトコルのタイミングと意味論とにしたがってメッセージの信号化を開始及び終了させる。ｃｄｍａ２０００システムでは、Ｌ１は、物理レイヤと称され、Ｌ２は、リンクアクセス制御（ＬＡＣ）レイヤ又は媒体アクセス制御（ＭＡＣ）レイヤと称され、Ｌ３は、信号化レイヤと称される。信号化レイヤの上部には、アプリケーションレイヤ２３０が存在する。これは、特定のアプリケーションサービスのための機能を含んでいる。
【００２８】
レイヤＬ３  ２００では、音声トラフィック２０１、パケットデータトラフィック２０３、及びシステムサービス２０５が、前述で議論された規格にしたがって構成されたデータユニットを経由して運ばれる。Ｗａｌｓｈ空間情報のような送信パラメータは、レイヤＬ３において処理される。ｃｄｍａ２０００システムのために、３つのレイヤＬ３メッセージを使用することによって、Ｗａｌｓｈ空間情報が、基地局から遠隔局へと通信される。ここで３つのレイヤメッセージは、ＷａｌｓｈテーブルＩＤメッセージ、Ｗａｌｓｈマスクメッセージ、及び最後のＷａｌｓｈコード指示メッセージと称される。ＷａｌｓｈテーブルＩＤメッセージは、複数のＷａｌｓｈテーブルのうちの１つを識別するために使用される。Ｗａｌｓｈテーブルでは、各テーブルが、基地局と遠隔局との間のパケットデータチャネルを確立するために利用可能なＷａｌｓｈコードのインデクスをリスト化する。このインデクスは更に、特定の使用順の関数として格納される。すなわち、インデクスの順番は、特定のＷａｌｓｈコードシーケンスが、他のＷａｌｓｈコードシーケンスの前に使用されるようになっている。
【００２９】
Ｗａｌｓｈマスクメッセージは、指定されたＷａｌｓｈテーブルにリストされたＷａｌｓｈコードの利用可能なビットマップを示すために、ＭＡＣ識別子（ＭＡＣ＿ＩＤ）とともに順方向パケットデータ制御チャネル（Ｆ−ＰＤＣＣＨ）上で運ばれる。ある予め定めたＭＡＣ＿ＩＤは、遠隔局のグループに対して共通であるか、またはＭＡＣ＿ＩＤは、個々の遠隔局に対してユニークである。遠隔局が、この通信システムに入った場合には、ユニークなＭＡＣ＿ＩＤは、ユニークな国際移動電話加入者識別番号（ＩＭＳＩ）にしたがって遠隔局に割り当てることができる。ある実施では、ＭＡＣ＿ＩＤの値は、「０ｘ００」である。これは、この基地局のサービング領域内の全ての遠隔局に対するブロードキャストのために確保されたＭＡＣ＿ＩＤである。Ｗａｌｓｈマスクメッセージは、ＷａｌｓｈテーブルＩＤメッセージによって選択されたＷａｌｓｈテーブル内の可能な「ホール」をシグナルするために用いられる。このホールは、あるＷａｌｓｈコードが、順方向補足チャネル（Ｆ−ＳＣＨ）、順方向基本チャネル（Ｆ−ＦＣＨ）、及び／又は順方向専用制御チャネル（Ｆ−ＤＣＣＨ）のような他のトラフィックチャネルに割り当てられた場合に生成される。
【００３０】
最後のＷａｌｓｈコード指示（ＬＷＣＩ）メッセージは、ＭＡＣ＿ＩＤとともにＦ−ＰＤＣＣＨ上で運ばれ、対応するＦ−ＰＤＣＨのために使用された最後のＷａｌｓｈコードのインデクスを示す。ＬＷＣＩメッセージは、直前の順方向パケットデータチャネルを設定するために、どのＷａｌｓｈコードが使用されたかの情報を運ぶと考えることができる。
【００３１】
図３は、Ｆ−ＰＤＣＨのためにＷａｌｓｈ空間情報を取得する方法を示している。セクション３００は、基地局及び遠隔局の両方に格納された種々のＷａｌｓｈテーブル３０１Ａ，３０１Ｂ，・・・，３０１Ｎを示している。ＷａｌｓｈテーブルＩＤメッセージ、Ｗａｌｓｈマスクメッセージ、及び最後のＷａｌｓｈコード指示メッセージは、基地局によって遠隔局へと送信される。セクション３１０は、Ｗａｌｓｈマスクメッセージによって定義されたマスク３１１の、ＷａｌｓｈテーブルＩＤメッセージによって識別されたテーブル３０１ｉによる上書きを示す。図３において、マスク３１１は、「０」と「１」のシーケンスによって表される。これらはテーブル３０１ｉに掛け合わされる。ここで、「０」を用いた乗算は、テーブル３０１ｉにおける対応するシーケンスが、使用可能ではないことを意味する。マスク３１１の上書きによって、セクション３２０内にＷａｌｓｈコードのセット３２１を生成する。これは、基地局と遠隔局との間の専用通信に使用されよう。セクション３２０は更に、対応するＦ−ＰＤＣＨのために使用される最後のＷａｌｓｈコードのインデクスを、ＬＷＣＩ情報３２２，３２３を用いて示す。
【００３２】
上述された方法論は、Ｗａｌｓｈマスクメッセージが遠隔局に送信される方式によって欠点が発生する。Ｗａｌｓｈマスクメッセージは、ブロードキャスト方式で、Ｆ−ＰＤＣＣＨ上で送信される。従って、全てのブロードキャスト送信に対して共通で必然的なこの欠点は、上述した方法論の性能に影響を与える。特に、信頼性と効率といった２つの問題がある。
【００３３】
信頼性に関しては、Ｗａｌｓｈマスクメッセージをブロードキャスト方式で送信することは、再送信した場合でさえも、どの遠隔局もが情報を受信することができるということを保証しない。遠隔局が、正しいＷａｌｓｈマスク情報を取得することが困難である場合、必要なＷａｌｓｈマスク情報の不足から復帰する体系的な方法はない。
【００３４】
この信頼性の欠如は、効率の欠如をもたらす。基地局は、遠隔局が正しいＷａｌｓｈマスク情報を持っていないとは判定できないので、システム効率は悪くなる。もしも遠隔局が正しいＷａｌｓｈマスク情報を持っていないのであれば、この遠隔局へのどのような送信も無駄になる。
【００３５】
ブロードキャストメッセージへのアクノレッジメント。  
ある実施例では、Ｗａｌｓｈマスクメッセージのブロードキャストに応答してアクノレッジメントが生成され、使用される。上述したように、「ブロードキャスト」とは、特定の条件におけるメッセージの送信を示す技術の用語である。つまり、特定のユーザＭＡＣ＿ＩＤではなく、共通のＭＡＣ＿ＩＤのブロードキャストチャネル上の送信に付すことである。これによって、共通のＭＡＣ＿ＩＤを共有しているどの遠隔局もブロードキャスト送信を復調し、デコードすることができる。この実施例は、専用チャネル上の送信の成功又は失敗をアクノレッジするために設計されたアクノレッジメントチャネルを利用する。上述したように、アクノレッジメントチャネルの意図した、もともとの使用は、基地局におけるスケジュール要素が、システムのデータスループット率を増加することを可能にするためである。
【００３６】
図４は、新たなアクノレッジメントチャネルを用いたブロードキャスト送信に対するアクノレッジの生成を示す。これは、図５（ｂ）により詳細に記載されている。プロセッサ及びメモリ要素が、図４に記載した方法ステップを実行するために基地局内に構成される。あるいは、このステップを実行するために他のインフラストラクチャ要素を構成することも可能である。この実施例は、ブロック４Ａ及び４Ｂによって記載された両方のプログラムフローの実施からなる。ステップ４００では、ブロードキャスト送信へのアクノレッジメントが生成されねばならないかについて遠隔局においてシステムフラグがセットされる。この実施例では、ブロードキャスト送信はＷａｌｓｈマスクメッセージである。
【００３７】
ブロック４Ａのステップ４１０では、遠隔局がＷａｌｓｈマスクメッセージを受信し、この新たに受信したＷａｌｓｈマスクを、遠隔局に格納されている古いＷａｌｓｈマスクと比較する。もしも受信したＷａｌｓｈマスクメッセージが、古いＷａｌｓｈマスクメッセージと同一であるならば、ステップ４２０において、遠隔局は、アクノレッジメントを送信することをやめる。ある実施例では、もしも遠隔局が、この古いＷａｌｓｈマスクメッセージを以前にアクノレッジしているのであれば、遠隔局は、このアクノレッジメントを繰り返すように構成することができる。もしも受信したＷａｌｓｈマスクメッセージが、古いＷａｌｓｈマスクメッセージと異なっており、ブロック４Ｂに記載された条件が満足されているのであれば、ステップ４３０において、遠隔局は、図５（ｂ）に記載された逆方向リンクアクノレッジメントチャネル上でアクノレッジメントを送信する。ブロック４Ｂのステップ４５０では、遠隔局は、Ｆ−ＰＤＣＨ上の送信が、Ｆ−ＰＤＣＣＨ上のＷａｌｓｈマスクメッセージと同じ持続時間でスケジュールされたかを判定する。もし同じでなければ、遠隔局は、アクノレッジメントを送信することを控える。もしも同じであり、ブロック４Ａの条件が満足されているのであれば、ステップ４７０において、遠隔局は、図５（ｂ）に記載されたように逆方向リンクアクノレッジメントチャネル上でアクノレッジメントを送信する。
【００３８】
図５（ａ）は、専用チャネル上で受信したメッセージをアクノレッジするための従来技術によるアクノレッジメントチャネル構成の一例である。遠隔局（図示せず）は、０又は１である１つのビットを生成する。各ビットは、サブパケットが正確にデコードされているか否かを示す。「スロット」は時間の期間であり、「サブパケット」は送信単位である。メッセージは、少なくとも１つのスロット期間の間中、１つ又は複数のサブパケットとして送信されることが可能である。このビットは、繰り返し要素５００内で複数回繰り返される。毎秒１．２２８８メガチップ（Ｍｃｐｓ）で送信するシステムでは、最適な繰り返しファクタは２４である。用語「チップ」は、Ｗａｌｓｈコードによって拡散されたビットパターンのように、拡散されたシーケンス内のビットを記述するために使用される。繰り返し要素５００の出力は、マッピング要素５１０によって＋１又は−１にマップされる。このマッピング要素５１０の出力は、拡散要素５２０によってカバーされる。ある実施例では、この拡散要素５２０は、ｉ番目の６４−ａｒｙ  Ｗａｌｓｈコードシーケンスによって出力されたマッピングを拡散する乗算機とすることができる。
【００３９】
図５（ｂ）は、専用パケットチャネル上で送られる送信をアクノレッジする、及びブロードキャストチャネル上で送られる送信をアクノレッジする新たな逆方向リンクアクノレッジメントチャネル（Ｒ−ＡＣＫＣＨ）のためのチャネル構成のブロック図である。専用チャネルのための逆方向アクノレッジメントチャネルビット５５０は、繰り返しファクタＲＦ＝３XＡＣＫＣＨ＿ＲＥＰＳで繰り返し要素５６０に入力される。ここで、ＡＣＫＣＨ＿ＲＥＰＳは、１，２，又は４でありシステムで定義される。ある実施例では、逆方向アクノレッジメントチャネルビットは、１．２５ｍｓスロットの間中、ＡＣＫＣＫ＿ＲＥＰＳ毎に１ビットの規則に従って生成される。繰り返し要素５６０の出力は、スロット毎に３シンボルである。ブロードキャストチャネル上で受信された送信のための逆方向アクノレッジメントチャネルビット５５５は、カバー要素５７０に入力される。逆方向アクノレッジメントチャネルビット５５５は、カバー要素５７０に用いられ、Ｗａｌｓｈコードシーケンスが選択される。選択されたＷａｌｓｈコードシーケンスは、スロット毎に８シンボルからなる。これは、乗算機５８０を使用することによって、繰り返し要素５６０の出力をカバーし、スロットあたり２４のシンボルを形成する。１．２５ｍｓ持続するスロットを使って、乗算機の出力が、毎秒あたり１９キロシンボル（ｋｓｐｓ）の速度で生成される。その後、この出力は変調され、アップコンバートされ、空気を介して送信されるために送られる。この詳細は、ここでは記載されていない。
【００４０】
ある一般的な実施例では、新たなＲ−ＡＣＫＣＨチャネルは、専用送信をアクノレッジすることに加えて、あらゆるブロードキャスト送信をアクノレッジすることができる。ブロードキャスト送信のためのアクノレッジメントビットの値は、専用送信のためのアクノレッジメントビットをカバーするＷａｌｓｈコードシーケンスを選択するために使用されることに留意されるべきである。基地局がアクノレッジメントメッセージを受信した場合には、この基地局は、専用チャネルのためのアクノレッジメントビットをカバーするために使用されるＷａｌｓｈコードシーケンスを識別することができる。
【００４１】
信号化メッセージの交換。  
逆方向リンクの不安定さのために、上述したアクノレッジメントチャネル上で送られたアクノレッジメントは、ネガティブなアクノレッジメントとして読み違えられうる。別の実施例では、基地局と遠隔局とは、Ｌ３信号化メッセージを経由して、関連情報を交換することができる。Ｌ３信号化メッセージが交換される実施例は、上述した実施例にしたがって実行することができる。
【００４２】
このＬ３信号化メッセージを交換するために、専用チャネル上のＬ３信号化メッセージを遠隔局が復調し、デコードすることができるような方法論が確立される必要がある。問題は、遠隔局が送信フォーマットの知識を持たない場合に、遠隔局は、特定の送信フォーマットで送られたメッセージを、どのように復調し、デコードできるかということである。
【００４３】
既に説明したように、特定の遠隔局への送信は、専用チャネル上で送信され、遠隔局のグループへの送信は、ブロードキャスト方式で送られる。専用チャネル上の送信は、潜在的なパラメータから多く選択することによって取得された１セットのパラメータを用いて符号化される。もしも遠隔局が、基地局によって使用された特定のパラメータのセットを知らないのであれば、この遠隔局は、この送信が正しくデコードされるまで、各々のパラメータセットを用いて、この送信の復調と、デコードとを試みる必要があるであろう。これは非効率的な方法である。それゆえ、送信フォーマット情報は、一般に、ブロードキャストチャネル上で送信される。これによって、遠隔局は、送信フォーマット情報を受信できるであろう。
【００４４】
このブロードキャスト送信フォーマット情報を使って、遠隔局は、専用チャネル上の送信メッセージを、迅速かつ効率的に復調し、デコードできるようになるであろう。ここで記載された実施例によって、遠隔局は、専用チャネル上の送信フォーマット情報を復調し、デコードすることが可能になる。
【００４５】
ある実施例では、基地局内でスケジューリング機能を実行することができる少なくとも１つのプロセッサ及びメモリ要素、又は他のインフラストラクチャ要素が、Ｗａｌｓｈコードシーケンスのオーバラップしているセットを用いて、Ｌ３信号化メッセージ又はその他を送信するように構成される。Ｗａｌｓｈコードシーケンスのオーバラップしているセットは、前のＷａｌｓｈ空間と現在のＷａｌｓｈ空間との間で共通であるＷａｌｓｈコードシーケンスである。もしも新たなＷａｌｓｈ空間が、情報を送信するために選択されるのであれば、この新たなＷａｌｓｈセットのサブセットは、おそらく、古いＷａｌｓｈセットのサブセットと同じであろう。この共通のサブセットは、オーバラップセットと称される。
【００４６】
図３に示すように、ＷａｌｓｈテーブルついてＷａｌｓｈマスクを使用することによって、利用可能なＷａｌｓｈコードシーケンスのセットを生成する。ＬＷＣＩメッセージは、どのＷａｌｓｈコードが最後に使用されたかを示す。一般に、システムは、どのＷａｌｓｈコードが次に使用されるべきかを決定するための選択則を実行する。例えば、一般的な選択則は、テーブルの１番下からＷａｌｓｈコードを取り出し、専用チャネル上の次の送信のためにテーブルを上送りすることである。
【００４７】
ある実施例では、プロセッサ及びメモリ要素は、以前に使用されたテーブルからどのＷａｌｓｈコードが最後に使用されたかと、どのＷａｌｓｈコードが使用されていないのかとを判定するように構成されている。Ｗａｌｓｈ選択則の知識を使って、プロセッサ及びメモリ要素は、以前のテーブルからＷａｌｓｈコードのセットを選択する。ここで、Ｗａｌｓｈコードのセットは、与えられた選択則によって最も選択されにくいＷａｌｓｈコードシーケンスを含む。プロセッサ及びメモリ要素は、その後、これら最も選択されにくいＷａｌｓｈコードを共有する新たなＷａｌｓｈコードテーブルを選択する。あるいは、ＬＷＣＩ指示は、前のテーブルのこれらＷａｌｓｈコードを示すように再設定される。このテーブルにおけるＷａｌｓｈコードシーケンスの次数は、基地局と遠隔局との両方が、同じ次数について合意又は共有している限り、任意のものでありうることに留意すべきである。
【００４８】
これらオーバラップしているＷａｌｓｈコードシーケンスを用いて、基地局は、Ｆ−ＰＤＣＨのような専用チャネル上で、遠隔局へ信号化メッセージを送信する。ここでは、Ｌ３信号化メッセージは、他の送信のための送信フォーマット情報を含んでいる。順方向及び逆方向リンクの品質はしばしば大幅に変動するので、送信メッセージの送信フォーマットもまた、システムのデータスループットを最適にするために大幅に変わりうることに留意すべきである。
【００４９】
一旦、基地局が、オーバラップしているＷａｌｓｈコードシーケンスを判定すると、基地局は、専用チャネル上で、現在の送信フォーマット情報を持っていない遠隔局へ送信する。
【００５０】
図６は、現在の送信フォーマット情報を含んでいるＬ３信号化メッセージを交換するためのフローチャートである。ステップ６００では、遠隔局が、専用チャネル上で最近受信された送信が適切にデコードできなかったと判定する。これは、誤ったＷａｌｓｈマスク、Ｗａｌｓｈテーブル、あるいはＬＷＣＩが使用されたことを意味する。ステップ６１０では、遠隔局が、Ｗａｌｓｈマスク要求メッセージ、又はＷａｌｓｈテーブルＩＤ要求メッセージ、又はＬＷＣＩ要求メッセージを生成する。このうちの何れかは適切なものであり、遠隔局は、この適切なメッセージを、サーブしている基地局へ送信する。ステップ６２０では、サーブしている基地局が、前記メッセージを受信し、遠隔局に対してＷａｌｓｈマスク更新メッセージ、又はＷａｌｓｈテーブルＩＤ更新メッセージ、又はＬＷＣＩ更新メッセージを送る。これらのうち何れかの更新応答は、前記メッセージに対する適切な応答である。ステップ６３０では、遠隔局は、この更新応答を受信し、Ｗａｌｓｈコードシーケンスを更新する。更新Ｗａｌｓｈ情報メッセージは、基地局によって自律的に、すなわち遠隔局からの対応する要求無しに送られることが可能である。
【００５１】
上述された実施例は、ブロードキャストチャネルというよりはむしろ、それに加えて、専用チャネル上で送信フォーマット情報を送るためのものである。これらの実施例は、サーブしている基地局の範囲に、遠隔局が初めて入ったときにはいつでも実施することができる。更に、この実施例は、ブロードキャスト送信に応答して遠隔局がネガティブなアクノレッジメントを送信する場合はいつでも実施することができる。このプロセスは上述した通りである。
【００５２】
直交空間情報の同期。  
上述された直交コード空間情報の信頼できる伝達のための実施例は、ブロードキャストチャネルか、あるいは専用チャネルであるかといった送信チャネルの品質に依存している。どの種類のチャネルも直交空間情報を更新するのに適切ではないときにこの状態が起こるのであれば、直交空間情報を同期させるための以下に示す実施例を、上述した実施例にしたがって実施することができる。一般に、もしもチャネル条件が、延長された期間の間、遠隔局にメッセージを運ぶのに不適切なのであれば、遠隔局は、この送信している基地局に対して、一連のネガティブなアクノレッジメントを送信するであろう。遠隔局が、誤った直交空間情報を持っているという判定を形成する前に、基地局に対して、複数のネガティブなアクノレッジメントを待たせるのではなく、以下に記載の実施例によって、基地局は、単に１つのネガティブなアクノレッジメントを受信した後に判定することが可能となる。
【００５３】
ある実施例では、サーブしている基地局は、複数のカウンタを備えて構成される。それぞれのカウンタは、サーブしている基地局の範囲内で動作する遠隔局に対応している。カウンタの数は、基地局が品質しきい値内でサーブすることができる遠隔局の数によって設定されるシステム定義パラメータとすることができる。個々の遠隔局もまたカウンタを備えて構成される。このカウンタは、基地局における対応するカウンタと同期される。
【００５４】
ある実施例では、このカウンタは、３ビットカウンタである。この３ビットカウンタは、Ｗａｌｓｈマスク変化の数をカウントするであろう。基地局におけるカウンタは、新たなＷａｌｓｈマスクメッセージが遠隔局へ送信されたとき、１モジュロ８によってインクリメントされ、遠隔局におけるカウンタは、新たなＷａｌｓｈマスクメッセージが受信されたとき、１モジュロ８によってインクリメントされるであろう。
【００５５】
本実施例の一般的な記述は、遠隔局におけるカウンタの内容は、Ｗａｌｓｈカバーを選択するために使用され、このＷａｌｓｈカバーは、図５（ｂ）に示すように、新たな逆方向アクノレッジメントチャネル（Ｒ−ＡＣＫＣＨ）上で送られたアクノレッジメント又はネガティブアクノレッジメントをカバーするために使用されるということである。この新たな逆方向アクノレッジメントチャネルでは、ブロードキャスト送信のためのアクノレッジメントビットの値は、専用送信のためのアクノレッジメントビットをカバーするＷａｌｓｈコードシーケンスを選択するために使用される。もしもブロードキャスト送信のためのアクノレッジメントの長さが３ビット長であれば、送信アクノレッジメントメッセージに８つの値を埋め込むことができる。基地局が、遠隔局からアクノレッジメント又はネガティブアクノレッジメントのビットを受信した場合には基地局は、受信されたＷａｌｓｈカバーのビットを確認し、埋め込まれたカウンタ内容を取り出す。受信したアクノレッジメント又はネガティブアクノレッジメントの埋め込まれたカウンタ内容がローカルなカウンタ値と異なるのであれば、基地局は、同期化に問題が生じたものと判定する。これによって、遠隔局は、現在の送信フォーマット情報で動作しないようになる。それゆえ、この実施例では、このカウンタ値は、Ｗａｌｓｈマスクのシーケンス識別子として作用する。一旦、同期化問題が識別されると、基地局は、この問題を修正するために適切な動作をとることができる。
【００５６】
ある実施例では、このローカルカウンタを、遠隔局からのアクノレッジメント又はネガティブアクノレッジメントのビットのＷａｌｓｈカバーによって分類される埋込カウンタ内容にリセットすることによって、基地局は、この同期化問題を修正する。この実施例では、基地局は、各遠隔局に対し少なくとも１つのカウンタを持たねばならない。これによって、基地局は、全ての埋込カウンタ内容を追跡することができる。
【００５７】
別の実施例では、基地局は、Ｌ３信号化メッセージを送信する。このプロセスは、図６に対する記事で記載されている。送信フォーマット情報に加えて、Ｌ３信号化メッセージは、更に、適切な基地局カウンタの内容値を運ぶように構成することが可能である。Ｌ３信号化メッセージを受信すると、遠隔局は、そのカウンタ値を適切なカウンタ値にリセットし、Ｌ３信号化メッセージに従ってＷａｌｓｈ空間を情報をリセットする。
【００５８】
別の実施例では、基地局は、全ての遠隔局カウンタを、共通のカウンタ値に強制的にリセットする。ブロードキャストチャネル上で、基地局は、カウンタリセット命令メッセージを送信し、このリセット命令に、特定のユーザＭＡＣ＿ＩＤではなく共通のＭＡＣ＿ＩＤを付する。それゆえ、共通のＭＡＣ＿ＩＤを共有しているあらゆる遠隔局は、カウンタ値を受信し、ローカルカウンタを適切にリセットするであろう。
【００５９】
あるいは、実際の共通ＭＡＣ＿ＩＤ自身が、カウンタリセット値として使用されうる。例えば、ｃｄｍａ２０００システムでは、０〜７のＭＡＣ＿ＩＤ値は、サーブしている基地局の範囲内で動作する全ての遠隔局中で共通として指定される。それゆえ、もしもＭＡＣ＿ＩＤ値６がブロードキャストチャネル上で送信されるのであれば。全ての遠隔局は、このＭＡＣ＿ＩＤに付されたメッセージをデコードするように構成されよう。ある実施例では、もしも３ビットのカウンタが、基地局と遠隔局との両方で使用されているのであれば、２３＝８の値が遠隔局へ運ばれる必要がある。もしもローカルカウンタの値が、ＭＡＣ＿ＩＤの値を取り出すのに使用されるのであれば、別個のリセット命令メッセージに対する必要性が取り除かれる。ＭＡＣ＿ＩＤは、２つの目的にかなうであろう。第１は、付されたメッセージが全ての遠隔局のためであることを分類する本来の目的であり、第２は、カウンタ値を識別する目的である。
【００６０】
もしも基地局が共通の値をリセットさせるのであれば、全ての遠隔局は、同じカウンタ内容を持つようにリセットされるであろうから、基地局は、１つのみのローカルカウンタを持つ必要があると留意されるべきである。
【００６１】
２ビットカウンタ又は４ビットカウンタのように、小さなサイズ又は大きなサイズを持つカウンタは、本実施例の範囲に大きな影響を与えることなく使用することが可能であることにも留意されるべきである。
【００６２】
当業者であれば、これら情報および信号が、種々異なった技術や技法を用いて表されることを理解するであろう。例えば、上述した記載で引用されているデータ、指示、命令、情報、信号、ビット、シンボル、およびチップは、電圧、電流、電磁波、磁場または磁性粒子、光学場または光学微粒子、あるいはこれら何れかの結合によって表現されうる。
【００６３】
これらの知識によって、ここで開示された実施例に関連する様々に例示された論理ブロック、モジュール、回路、およびアルゴリズムステップが、電子工学ハードウェア、コンピュータソフトウェア、あるいはこれらの組み合わせとして適用されることが更に理解されよう。ハードウェアとソフトウェアとの相互互換性を明確に説明するために、様々に例示された部品、ブロック、モジュール、回路、およびステップが、それらの機能に関して一般的に記述された。それら機能がハードウェアとしてあるいはソフトウェアとして適用されているかは、特有の応用例および全体システムに課せられている設計条件による。熟練した技術者であれば、各特定のアプリケーションに応じて変更することによって上述した機能を実施しうる。しかしながら、この適用判断は、本発明の範囲から逸脱したものと解釈すべきではない。
【００６４】
様々に示された論理ブロック、モジュール、および上述された実施例に関連して記載された回路もまた実装され、汎用プロセッサ、デジタル信号プロセッサ（ＤＳＰ）、アプリケーションに固有の集積回路（ＡＳＩＣ）、フィールドプログラマブルゲートアレイ（ＦＰＧＡ）またはその他のプログラマブル論理デバイス、ディスクリートゲートあるいはトランジスタ論理、ディスクリートハードウェア部品、あるいは上述された機能を実現するために設計された何れかの組み合わせとともに実行されうる。汎用プロセッサとしてマイクロプロセッサを用いることが可能であるが、代わりに、従来技術によるプロセッサ、コントローラ、マイクロコントローラ、あるいは状態機器を用いることも可能である。プロセッサは、たとえばＤＳＰとマイクロプロセッサとの組み合わせ、複数のマイクロプロセッサ、ＤＳＰコアに接続された１つ以上のマイクロプロセッサ、またはその他の配置のような計算デバイスの組み合わせとして実装することも可能である。
【００６５】
ここで開示された実施例に関連して記述された方法やアルゴリズムのステップは、ハードウェアや、プロセッサによって実行されるソフトウェアモジュールや、これらの組み合わせによって直接的に具現化される。ソフトウェアモジュールは、ＲＡＭ、フラッシュメモリ、ＲＯＭ、ＥＰＲＯＭ、ＥＥＰＲＯＭ、レジスタ、ハードディスク、リムーバブルディスク、ＣＤ−ＲＯＭ、あるいは当該技術分野で知られているその他の型式の記憶媒体に収納されうる。好適な記憶媒体は、プロセッサがそこから情報を読み取り、またそこに情報を書き込むことができるようにプロセッサに結合される。または、記憶媒体はプロセッサに統合されうる。このプロセッサと記憶媒体は、ＡＳＩＣに収納することができる。ＡＳＩＣは、ユーザ端末内に収納することもできる。または、このプロセッサと記憶媒体が、ユーザ端末におけるディスクリートな部品として収納されることもある。
【００６６】
開示された実施例における上述の記載は、いかなる当業者であっても、本発明の活用または利用を可能とするようになされている。これらの実施例への様々な変形例もまた、当業者に対しては明らかであって、ここで定義された一般的な原理は、本発明の主旨または範囲を逸脱しない他の実施例にも適用されうる。このように、本発明は、上記で示された実施例に制限されるものではなく、ここで記載された原理と新規の特徴に一致した広い範囲に相当するものを意図している。
【図面の簡単な説明】
【００６７】
【図１】図１は、無線通信ネットワークの図である。
【図２】図２は、基地局及び遠隔局における信号化レイヤＬ１、Ｌ２、Ｌ３間の相互作用を示す図である。
【図３】図３は、Ｗａｌｓｈ空間情報を得るための処理の図である。
【図４】図４は、遠隔局がブロードキャストメッセージにアクノレッジを送信する場合を示すフローチャートである。
【図５】図５（ａ）は、アクノレッジメントチャネルのための従来技術チャネル構造のブロック図であり、図５（ｂ）は、アクノレッジメントチャネルのための新たなチャネル構造のブロック図である。
【図６】図６は、遠隔局のＷａｌｓｈコードシーケンスがどのようにして更新されるかを示すフローチャートである。
【図１】
2005524334.tif 000007
【図２】
2005524334.tif 000008
【図３】
2005524334.tif 000009
【図４】
2005524334.tif 000010
【図５】
2005524334.tif 000011
【図６】
2005524334.tif 000012
【国際調査報告】
2005524334.tif 000013
2005524334.tif 000014